【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
遊技台に隣設して、
前記遊技台の受皿に遊技玉を供給する台間ユニットの玉供給管において、
前記玉供給管は、
前記台間ユニットの本体部の前面に設けたノーズベースと、
該ノーズベースに水平回動可能に設けたノーズ基部と、
該ノーズ基部に略直角に折曲可能に設けた玉供給ノーズと、から構成され、
前記玉供給ノーズは、
ノーズ本体と、
該ノーズ本体の先端部に設けられる、玉排出口を有した回動ノーズと、から成り、
前記回動ノーズは、
前記ノーズ本体の先端部に、玉供給方向に対して直行する面で回動可能に取り付けたことを特徴とする台間ユニットの玉供給管。
【請求項２】
前記ノーズ本体の先端部において、
前記回動ノーズの回動角を所定の範囲内に制限させるストッパ手段を設けたことを特徴とする請求項１記載の台間ユニットの玉供給管。
【請求項３】
前記回動ノーズの玉供給方向への回動抵抗よりも逆方向の回動抵抗を大きく設定する回動規制手段を設けたことを特徴とする請求項１又は２記載の台間ユニットの玉供給管。
【請求項４】
前記回動規制手段は、
前記ノーズ本体に形成された爪と、前記回動ノーズに形成された爪と、を係合させるとともに、
前記ノーズ本体の爪の一方の傾斜面と、該爪に対面する前記回動ノーズ側の爪の一方の傾斜面と、を同一傾斜とし、
且つ、同一傾斜とした両傾斜面を面接触させたことを特徴とする請求項３記載の台間ユニットの玉供給管。
【請求項５】
前記ノーズ本体は、固定ノーズと、可動ノーズと、で構成し、
前記可動ノーズを前記固定ノーズに対して玉供給方向にスライド可能に嵌合保持して前記ノーズ本体を玉供給方向に伸縮可能に構成し、
前記可動ノーズの玉供給方向へのスライド抵抗を逆方向のスライド抵抗よりも大きく設定するスライド規制手段を設けたことを特徴とする請求項１〜４の何れかに記載の台間ユニットの玉供給管。
【請求項６】
前記ノーズベースは、固定ノーズベースと、可動ノーズベースと、で構成し、
前記可動ノーズベースを前記固定ノーズベースに対して玉供給方向にスライド可能に嵌合保持して前記ノーズベースを玉供給方向に伸縮可能に構成し、
前記可動ノーズベースの玉供給方向へのスライド抵抗を逆方向のスライド抵抗よりも大きく設定するスライド規制手段を設けたことを特徴とする請求項１〜５の何れかに記載の台間ユニットの玉供給管。

【手続補正２】
【補正対象書類名】明細書
【補正対象項目名】発明の名称
【補正方法】変更
【補正の内容】
【発明の名称】台間ユニットの玉供給管 
【手続補正３】
【補正対象書類名】明細書
【補正対象項目名】０００１
【補正方法】変更
【補正の内容】
【０００１】
本発明は、パチンコ店等の遊技場においてパチンコ台間に隣設される台間玉貸機や台間玉払出機等の台間ユニットの玉供給管に関するものである。
【手続補正４】
【補正対象書類名】明細書
【補正対象項目名】０００７
【補正方法】変更
【補正の内容】
【０００７】
本発明は上記問題に鑑みてなされたもので、その目的とする処は、遊技台の受皿の位置
や形状が機種によって異なっても、或いは遊技台の前面側に装飾が突出したり、遊技台や
台間玉貸機に空気清浄装置等の設備が隣設されていても、遊技台の受皿に遊技玉を安定的
に供給することができる台間ユニットの玉供給管を提供することにある。
【手続補正５】
【補正対象書類名】明細書
【補正対象項目名】０００８
【補正方法】変更
【補正の内容】
【０００８】
上記目的を達成するため、請求項１記載の発明は、遊技台に隣設して、前記遊技台の受皿に遊技玉を供給する台間ユニットの玉供給管において、前記玉供給管は、前記台間ユニットの本体部の前面に設けたノーズベースと、該ノーズベースに水平回動可能に設けたノーズ基部と、該ノーズ基部に略直角に折曲可能に設けた玉供給ノーズと、から構成され、前記玉供給ノーズは、ノーズ本体と、該ノーズ本体の先端部に設けられる、玉排出口を有した回動ノーズと、から成り、前記回動ノーズは、前記ノーズ本体の先端部に、玉供給方向に対して直行する面で回動可能に取り付けたことを特徴とする。
【手続補正６】
【補正対象書類名】明細書
【補正対象項目名】０００９
【補正方法】変更
【補正の内容】
【０００９】
請求項２記載の発明は、請求項１記載の発明において、前記ノーズ本体の先端部において、前記回動ノーズの回動角を所定の範囲内に制限させるストッパ手段を設けたことを特徴とする。
【手続補正７】
【補正対象書類名】明細書
【補正対象項目名】００１０
【補正方法】変更
【補正の内容】
【００１０】
請求項３記載の発明は、請求項１又は２記載の発明において、前記回動ノーズの玉供給方向への回動抵抗よりも逆方向の回動抵抗を大きく設定する回動規制手段を設けたことを特徴とする。
【手続補正８】
【補正対象書類名】明細書
【補正対象項目名】００１１
【補正方法】変更
【補正の内容】
【００１１】
請求項４記載の発明は、請求項３記載の発明において、前記回動規制手段は、前記ノーズ本体に形成された爪と、前記回動ノーズに形成された爪と、を係合させるとともに、前記ノーズ本体の爪の一方の傾斜面と、該爪に対面する前記回動ノーズ側の爪の一方の傾斜面と、を同一傾斜とし、且つ、同一傾斜とした両傾斜面を面接触させたことを特徴とする。
【手続補正９】
【補正対象書類名】明細書
【補正対象項目名】００１２
【補正方法】変更
【補正の内容】
【００１２】
請求項５記載の発明は、前記ノーズ本体は、固定ノーズと、可動ノーズと、で構成し、前記可動ノーズを前記固定ノーズに対して玉供給方向にスライド可能に嵌合保持して前記ノーズ本体を玉供給方向に伸縮可能に構成し、前記可動ノーズの玉供給方向へのスライド抵抗を逆方向のスライド抵抗よりも大きく設定するスライド規制手段を設けたことを特徴とする。

【手続補正１０】
【補正対象書類名】明細書
【補正対象項目名】００１３
【補正方法】変更
【補正の内容】
【００１３】
請求項６記載の発明は、請求項１〜５の何れかに記載の発明において、前記ノーズベースは、固定ノーズベースと、可動ノーズベースと、で構成し、前記可動ノーズベースを前記固定ノーズベースに対して玉供給方向にスライド可能に嵌合保持して前記ノーズベースを玉供給方向に伸縮可能に構成し、前記可動ノーズベースの玉供給方向へのスライド抵抗を逆方向のスライド抵抗よりも大きく設定するスライド規制手段を設けたことを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００２１
【補正方法】変更
【補正の内容】
【００２１】
請求項５記載の発明によれば、機種によって遊技台の受皿の位置や形状が異なっていたり、遊技台や台間玉貸機等の台間ユニットに空気清浄機等の設備が隣設されていても、それに応じてノーズ本体を伸縮させることができるため、その先端に取り付けられた回動ノーズの玉排出口を遊技台の受皿の上方に位置決めすることができ、該排出口から遊技玉を遊技台の受皿に安定的に供給することができる。また、伸縮によって所定の長さに調整されたノーズ本体が、流下する遊技玉から受ける衝撃によって伸びることがないため、その先端に取り付けられた回動ノーズの玉排出口の位置がずれることがなく、該玉排出口から遊技玉を遊技台の受皿に安定的に供給することができる。
【手続補正１６】
【補正対象書類名】明細書
【補正対象項目名】００２２
【補正方法】変更
【補正の内容】
【００２２】
請求項６記載の発明によれば、遊技台の前面側に装飾が突出したり、遊技台や台間ユニットに隣設されたカードユニットや台間型の空気清浄装置等の設備が設置されているような場合には、可動ノーズベースを前面側（手前側）に引き出してノーズベース全体を伸ばすことができるため、玉供給ノーズと装飾や空気清浄装置等の設備との干渉を避けて玉排出口を遊技台の受皿の上方に位置決めすることができ、該排出口から遊技玉を遊技台の受皿に安定的に供給することができる。また、ノーズベースの可動ノーズベースが、流下する遊技玉から受ける衝撃によって移動してノーズベース全体が伸びて玉排出口の受皿に対する位置がずれることがないため、該玉排出口から遊技台の受皿に遊技玉が確実且つ安定的に供給される。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００５４
【補正方法】変更
【補正の内容】
【００５４】
又、図６に詳細に示すように、下側の可動ノーズ半体７Ａ２２の後端部の左右に形成された爪７ｔは固定ノーズ半体７Ａ１２の左右の側壁内面に形成された複数の爪７ｉの１つの係合している。このように、爪７ｉ，７ｔ同士が係合することによって可動ノーズ７Ａ２のスライドにはクリック感が与えられるが、本実施の形態では、可動ノーズ７Ａ２の玉供給方向（図３〜図７の右方向）へのスライド抵抗を逆方向のスライド抵抗よりも大きく設定するスライド規制手段が設けられている。具体的には、スライド規制手段は、固定ノーズ７Ａ１側に形成された複数の各爪７ｉの玉供給方向への傾斜角度を逆方向の傾斜角度よりも大きく設定することによって構成されている。尚、可動ノーズ７Ａ２の固定ノーズ７Ａ１からの抜けは、該可動ノーズ７Ａ２側に形成された左右の前記ストッパ７ｐが固定ノーズ７Ａ１側に形成された左右のストッパ７ｃに当接することによって防がれる。
【手続補正２１】
【補正対象書類名】明細書
【補正対象項目名】００５７
【補正方法】変更
【補正の内容】
【００５７】
而して、回動ノーズ７Ｂは、図５及び図７に示すように、その軸部７Ｂ１が可動ノーズ７Ａ２の先端部の前記支持部７Ｃ内に挾持され、パチンコ玉５０の玉供給方向に対して直交する面で回動可能に支持されている。このとき、図８及び図９に示すように、回動ノーズ７Ｂの軸部７Ｂ１に形成された爪７ｙは可動ノーズ７Ａ１の支持部半体７Ｃ１の内周に形成された複数の爪７ｒの１つに係合しており、回動ノーズ７Ｂの軸部７Ｂ１に形成された係合突起７ｚは可動ノーズ半体７Ａ２１，７Ａ２２の支持部半体７Ｃ１，７Ｃ２の内周にそれぞれ形成された嵌合溝７ｖに嵌合している。
【手続補正２２】
【補正対象書類名】明細書
【補正対象項目名】００５８
【補正方法】変更
【補正の内容】
【００５８】
上述のように回動ノーズ７Ｂが可動ノーズ７Ａ２に対して遊技台の受皿方向へ回動（首振り）可能に支持されることによって、該回動ノーズ７Ｂは図８（ａ）に示す垂直状態（補助ノズル１１の玉排出口１１ａが真下に向く状態）から図８（ｂ），（ｃ）に示す角度範囲で左右に回動（首振り）が可能であるが、爪７ｒ，７ｙ同士が係合することによって回動ノーズ７Ｂの回動（首振り）にはクリック感が与えられる。
【手続補正２３】
【補正対象書類名】明細書
【補正対象項目名】００５９
【補正方法】変更
【補正の内容】
【００５９】
ところで、本実施の形態では、遊技台の受皿方向である、回動ノーズ７Ｂの玉供給方向（図９（ａ）の矢印方向（反時計方向））への回動抵抗よりも逆方向の回動抵抗を大きく設定する回動規制手段が設けられている。具体的には、本実施の形態では、可動ノーズ７Ａ２側の爪７ｒの一方の傾斜面（図中右方の面）と、該爪７ｒに対面する回動ノーズ７Ｂ側の爪７ｙの一方の傾斜面（図中右方の面）とを同一傾斜とし、両接触面が面接触することによって、回動ノーズ７Ｂを所定角度に固定することができる。併せて、回動ノーズ７Ｂのバネ部７ｘがその基端部を起点として撓み変形することによって、該バネ部７ｘの先端に形成された爪７ｙはバネ部７ｘの基端部を起点として径方向内外方に移動する。
【手続補正２４】
【補正対象書類名】明細書
【補正対象項目名】００６１
【補正方法】変更
【補正の内容】
【００６１】
他方、図９（ｂ）に示す状態から回動ノーズ７Ｂを矢印方向（時計方向）へ回す場合には、可動ノーズ７Ａ２側の爪７ｒの一方の傾斜面と、該爪７ｒに対面する回動ノーズ７Ｂ側の爪７ｙの一方の傾斜面とが同一傾斜として形成されているため、両接触面が面接触し、回動ノーズ７Ｂの玉供給方向とは反対方向（図９（ｂ）の矢印方向）への回動抵抗が大きくなり、図１４に示すパチンコ１００の受皿１０１へと排出されるパチンコ玉５０による衝撃や重量等によっても回動ノーズ７Ｂの図９（ｂ）に示す状態が維持できる。
【手続補正２５】
【補正対象書類名】明細書
【補正対象項目名】００６４
【補正方法】変更
【補正の内容】
【００６４】
以上のように構成された台間玉貸機１において、図１４に示す本体部２の前面上部に開口する紙幣投入口３から遊技客が紙幣を投入すると、その金額に応じた数のパチンコ玉５０が玉供給部４によってパチンコ台１００の受皿１０１に供給される。即ち、パチンコ玉５０は、本体部２から固定玉通路部材９の玉通路９ａと可動玉通路部材８の玉通路８ａを通ってノーズ基部６へと流下するが、玉供給ノーズ７が図５に示すようにノーズ基部６を中心として水平に略９０°回動されて平面視直角に折り曲げられると、ノーズ基部６の玉通路６ｄが可動玉通路部材８の玉通路８ａに連通するため、パチンコ玉５０は、ノーズ基部６の玉通路６ｄを通って玉供給ノーズ７に沿って流下し、回動ノーズ７Ｂに保持された補助ノズル１１の玉排出口１１ａからパチンコ台１００の受皿１０１へと落下して供給される。
【手続補正２６】
【補正対象書類名】明細書
【補正対象項目名】００６９
【補正方法】変更
【補正の内容】
【００６９】
そして、本実施の形態では、固定ノーズ７Ａ１の内側面に爪７ｉを形成したため、該爪７ｉにゴミや埃が付着することがなく、ノーズ本体７Ａの伸縮が安定的になされる。又、固定ノーズ７Ａ１の内側面に形成された爪７ｉの底面からの高さをパチンコ玉５０の半径よりも小さく設定したため、該爪７ｉにパチンコ玉５０が接触することがなく、流下するパチンコ玉５０によって爪７ｉが損傷する等の不具合の発生が防がれる。
【手続補正２７】
【補正対象書類名】明細書
【補正対象項目名】００７１
【補正方法】変更
【補正の内容】
【００７１】
又、本実施の形態では、可動ノーズベース５Ｂの玉供給方向へのスライド抵抗を逆方向のスライド抵抗よりも大きく設定するスライド規制手段を設けたため、ノーズベース５の可動ノーズベース５Ｂが、流下するパチンコ玉５０から受ける衝撃によって移動してノーズベース５全体が伸びることがない。このため、玉排出口１１ａのパチンコ台１００の受皿１０１に対する位置がずれることがなく、該玉排出口１１ａからパチンコ台１００の受皿１０１にパチンコ玉５０が確実且つ安定的に供給される。
【手続補正２８】
【補正対象書類名】明細書
【補正対象項目名】００７２
【補正方法】変更
【補正の内容】
【００７２】
尚、以上は本発明を特に台間玉貸機に対して適用した形態について説明したが、本発明は、計数して預かった遊技玉を払い出す台間玉払出機等の他の台間ユニットの玉供給管に対しても同様に適用可能であることは勿論である。
【手続補正２９】
【補正対象書類名】明細書
【補正対象項目名】００７４
【補正方法】変更
【補正の内容】
【００７４】
１          台間玉貸機（台間ユニット）
２          本体部
３          紙幣投入口
４          玉供給部（玉供給管）
５          ノーズベース
５Ａ        固定ノーズベース
５Ｂ        可動ノーズベース
５ａ，５ｂ  開口部
５ｃ        爪
５ｄ        ガイド溝
５ｅ        ガイド突起
５ｆ        リブ状突起
５ｇ        ガイド溝
５ｈ，５ｉ  開口部
５ｊ        舌片
５ｋ        ガイド突起
５ｍ        爪
５ｎ        ストッパ
６          ノーズ基部
６Ａ        ノーズ基部の本体
６Ｂ        ノーズ基部の固定部
６ａ        支軸
６ｂ        嵌合突起
６ｃ        ストッパ軸
６ｄ        玉通路
７          玉供給ノーズ
７Ａ        ノーズ本体
７Ａ１      固定ノーズ
７Ａ１１    固定ノーズ半体（上側）
７Ａ１２    固定ノーズ本体（下側）
７Ａ２      可動ノーズ
７Ａ２１    可動ノーズ半体（上側）
７Ａ２２    可動ノーズ半体（下側）
７Ｂ        回動ノーズ
７Ｂ１      回動ノーズの軸部
７Ｃ        ノーズ本体の支持部
７Ｃ１      支持部半体（上側）
７Ｃ２      支持部半体（下側）
７ａ        係合突起
７ｂ        係合孔
７ｃ        ストッパ
７ｄ        支持部
７ｅ        軸孔
７ｆ，７ｇ  嵌合孔
７ｈ        ガイド突起
７ｉ        爪
７ｊ        係合突起
７ｋ，７ｍ  係合孔
７ｎ        係合突起
７ｏ        ガイド部
７ｐ        ストッパ
７ｑ        ガイド突起
７ｒ        爪
７ｓ        ガイド部
７ｔ        爪
７ｕ        ガイド溝
７ｖ        係合溝
７ｖ１      係合溝のストッパ面
７ｗ        溝
７ｘ        バネ部
７ｙ        爪
７ｚ        係合突起
７ｚ１      係合突起の端面
８          可動玉通路部材
８ａ        玉通路
８ｂ        ガイド突起
８ｃ        支持部
９          固定玉通路部材
９ａ        玉通路
９ｂ        突起
９ｃ        ガイド溝
１０        キャップ
１１        補助ノズル
１１ａ      玉排出口
５０        パチンコ玉（遊技玉）
１００      パチンコ台
１０１      パチンコ台の受皿